(57)【特許請求の範囲】
【請求項１】
停止動作中の列車の前面に対して前方からスポット状の測定光を左右方向に沿ってライン状に走査しつつ照射する距離センサを用いて、当該距離センサから列車の前面までの距離を測定し、
測定された距離に基づいて、列車の停止状態及び停止位置を検出するものであって、
前記距離センサから照射される測定光が波長８００ｎｍ〜１μｍのレーザ光であって、前記距離センサの走査時間が１０ミリ秒〜２０ミリ秒とされていて、
前記距離センサから列車の前面までの距離を一定の時間ごとに連続して測定し、連続して測定された距離の変化量が所定の閾値以下になった場合に列車が停止したと判断し、列車が停止したと判断された場合には、前記測定された距離を基に列車の停止位置を推定する
ことを特徴とする列車停止位置の検出方法。
【請求項２】
前記測定光を、当該列車の進行方向に対して前方で且つ左右方向斜めから照射することを特徴とする請求項１に記載の列車停止位置の検出方法。
【請求項３】
前記測定光を、前記列車の前面に設けられた連結器に対して照射することを特徴とする請求項１又は２に記載の列車停止位置の検出方法。
【請求項４】
停止動作中の列車の前面に対してスポット状の測定光を左右方向に沿ってライン状に走査しつつ照射して、当該距離センサから列車の前面までの距離を測定する距離センサと、請求項１〜３のいずれかに記載された列車停止位置の検出方法により、列車の停止状態及び停止位置を検出する検出部と、
を有していることを特徴とする列車停止位置の検出装置。
【発明の詳細な説明】
【技術分野】
【０００１】
本発明は、軌道上を走行する列車の列車停止位置を検出する検出方法、及び検出装置に関する。
【背景技術】
【０００２】
周知の如く、駅のプラットホームに入線してきた列車は、プラットホーム上に予め設定された目標停止位置に停止し、その後、乗客が乗り降りするために列車の扉の開閉が行われる。
しかしながら、様々な原因により列車が目標停止位置を超えた位置に停止したり（オーバーラン）、目標停止位置に達せずに停止したりする状況が発生する。斯かるオーバーランなどの状況が発生した場合、乗客がスムーズに乗降できないなどの不都合が発生することは言うまでもない。
【０００３】
このオーバーランなどの異常停止状況は、可及的速やかに列車の運転士、車掌、駅係員に通達する必要があるが、現状では、正常停止、異常停止を問わず列車の停止位置を認識するのは、駅係員などの目視（人手）に頼らざるを得ないのが現状である。
ところで、近年、新幹線及び在来線や地下鉄などにおいては、乗客のプラットホームからの転落や列車との接触事故の防止などを目的とした安全対策の一つとして、プラットホーム上に可動柵やホームドアが設置されるようになってきている。
【０００４】
このような可動柵及びホームドアにおいては、目標停止位置に停止した列車の扉の位置にあわせてドアが設けられているので、列車を確実に目標停止位置に停止させるとともに、ホームドアの開閉にあたっては、列車が目標停止位置又はその前後の許容される範囲内に停止しているのか否かの判断が要求される。斯かる判断も、駅係員などの目視（人手）に頼らざるを得ないのが現状である。
【０００５】
そこで、本願出願人らは、特許文献１のような技術を既に開発している。
特許文献１は、移動体の位置を検出するための位置検出装置であって、前記移動体の画像を当該移動体の背景の画像とともに撮像可能なように設置された画像センサと、前記画像センサによって撮像された、前記移動体が写っていない画像であるベース画像と、前記移動体が写った画像である検出用画像とを比較することにより、前記移動体の位置（特に、先頭位置）を検出する位置検出部と、を有してなる位置検出装置を開示する。
【０００６】
この技術を用いることで、列車の検知位置を知ることができ、ホームドアの開閉の支援や、オーバーランなどの異常停止状況の自動認識を行うことが可能となる。
また、特許文献２には、特許文献１とは別の方法で列車の停止位置を算出する技術が開示されている。
すなわち、特許文献２には、軌道を複数の区間に区分し、区分された区間のどこに列車が在線するかを検知するシステムが開示されている。このシステムには、走行する列車の列車速度を非接触式で検出する検出手段も設けられており、検出された列車速度から列車が停止しているか否かを判断し、列車が停止していると判断された在線区間に基づいて列車の停止位置も判断できるようになっている。
【先行技術文献】
【特許文献】
【０００７】
【特許文献１】特開２００８−２９８５０１号公報
【特許文献２】特開２０１０−５２５５６号公報
【発明の概要】
【発明が解決しようとする課題】
【０００８】
特許文献１に記載された技術を用いることで、列車の列車停止位置をほぼ確実に検出することは可能である。
しかしながら、特許文献１の技術は、カメラを用いた画像処理手法を採用したものであるため、本技術を採用するプラットホームの環境などにより、カメラ設置の困難性や視野確保の困難性が存在する。加えて、列車の進入に伴う振動などでカメラの取り付け角度や取り付け位置が変わってしまい、定期的なキャリブレーションが必要とされるなどのメンテナンス面での煩雑性を有している。
【０００９】
一方、特許文献２の技術は、ＡＴＯやＴＡＳＣなどのように列車の運行を統合的に管理したり監視したりするシステムを用いることが前提となっている。ところが、このような大がかりな制御システムは、導入に多大なコストが必要となるため、一部の路線にしか導入されておらず、特許文献２の技術を採用できる路線（駅プラットホーム）は限定的なものとなる。
【００１０】
すなわち、ＡＴＯやＴＡＳＣなどを用いて列車を自動で停止させるのであれば、列車の減速パターンが一定となるため、列車速度に基づいて列車の停止位置を比較的正確に判断できる可能性がある。しかし、マニュアルで列車を停止させる場合には、列車の停止位置の特定は非常に困難になる。
例えば、ブレーキを早めにかけて停止位置より相当手前から列車を緩やかに減速させるか、逆にブレーキを遅くして停止位置の寸前で列車を短時間で停止させるかは、運転士の技量、経験、運行状況などに応じて大きく変化する。また、実際に列車を運行させる際には、一旦減速させた列車を停止位置の手前で再加速したりする場合もある。当然、このようにマニュアルで列車を停止させるケースにまで、特許文献２の技術は対応できるものではない。
【００１１】
本発明は、上記問題点を鑑みて為されたものであり、どのような路線に対しても低コストで導入が可能なものでありながら列車停止位置を正確に検出することができ、また装置の保守や点検に手間がかからず利便性にも優れる列車停止位置の検出方法、及び検出装置を提供することを目的とする。
【課題を解決するための手段】
【００１２】
上述の目的を達成するため、本発明は以下の技術的手段を講じた。
すなわち、本発明に係る列車停止位置の検出方法は、停止動作中の列車の前面に対してスポット状の測定光を左右方向に沿ってライン状に走査しつつ照射する距離センサを用いて、当該距離センサから列車の前面までの距離を測定し、測定された距離に基づいて、列車の停止状態及び停止位置を検出することを特徴とするものである。
【００１３】
なお、好ましくは、前記距離センサから列車の前面までの距離を一定の時間ごとに連続して測定し、連続して測定された距離の変化量が所定の閾値以下になった場合に列車が停止したと判断し、列車が停止したと判断された場合には、前記測定された距離を基に列車の停止位置を推定するのが良い。
また、好ましくは、前記測定光を、当該列車の進行方向に対して前方で且つ左右方向斜めから照射するのが良い。
【００１４】
また、好ましくは、前記測定光を、前記列車の前面に設けられた連結器に対して照射するのが良い。
一方、本発明に係る列車停止位置の検出装置は、停止動作中の列車の前面に対してスポット状の測定光を左右方向に沿ってライン状に走査しつつ照射して、当該距離センサから列車の前面までの距離を測定する距離センサと、上述した列車停止位置の検出方法により、列車の停止状態及び停止位置を検出する検出部と、を有していることを特徴とするものである。
なお、本発明にかかる列車停止位置の検出方法の最も好ましい形態は、停止動作中の列車の前面に対して前方からスポット状の測定光を左右方向に沿ってライン状に走査しつつ照射する距離センサを用いて、当該距離センサから列車の前面までの距離を測定し、測定された距離に基づいて、列車の停止状態及び停止位置を検出するものであって、前記距離センサから照射される測定光が波長８００ｎｍ〜１μｍのレーザ光であって、前記距離センサの走査時間が１０ミリ秒〜２０ミリ秒とされていて、前記距離センサから列車の前面までの距離を一定の時間ごとに連続して測定し、連続して測定された距離の変化量が所定の閾値以下になった場合に列車が停止したと判断し、列車が停止したと判断された場合には、前記測定された距離を基に列車の停止位置を推定することを特徴とする。
【発明の効果】
【００１５】
本発明に係る列車停止位置の検出方法及び検出装置によれば、どのような路線に対しても低コストで導入が可能なものでありながら列車停止位置を正確に検出することができ、また装置の保守や点検に手間がかからず優れた利便性を発揮することができる。
【図面の簡単な説明】
【００１６】
【図１】第１実施形態の列車停止位置の検出装置を示す斜視図である。
【図２】（ａ）は同検出装置の正面図であり、（ｂ）は同検出装置の平面図である。
【図３】（ａ）は距離センサと列車との位置関係を示す図であり、（ｂ）は検出部での判断手法を説明するための図である。
【発明を実施するための形態】
【００１７】
以下、本発明に係る列車停止位置Ｐの検出方法及び検出装置の実施形態を、図を基に説明する。
本発明に係る列車停止位置Ｐの検出装置１は、新幹線、在来線、新交通システム、地下鉄などの駅のホームに設置されて、このホームに停止する列車Ｔの列車停止位置Ｐを検出するものである。
【００１８】
なお、ここでいう列車Ｔには軌道上を走行するさまざまな走行体、例えば電車、モノレール、路面電車などが含まれている。また、以降の説明において、「列車停止位置Ｐ」という場合は実際に列車Ｔが停止した位置を意味し、「停止目標位置ＰO」という場合は列車Ｔが停止する目標として駅構内のホームや線路上に予め定められた位置を意味する。また、列車Ｔ進行方向を向いての右左方向を、説明の際の右左方向とする。
【００１９】
図１に示すように、本実施形態の検出装置１は、停止動作中の列車Ｔの前面に対して測定光２を照射して、この列車Ｔの前面までの距離を測定する距離センサ３と、距離センサ３で測定された距離に基づいて、列車Ｔの停止状態及び停止位置（列車停止位置Ｐ）を検出する検出部４と、を有している。
なお、この「停止動作中」とは、上述した停止目標位置ＰOに停止すべく列車Ｔが手動または自動で減速されている状態にあることを意味する。
【００２０】
距離センサ３は、スポットレーザ光を測定光２とする非接触式の距離計であり、レーザ距離計と呼ばれるものである。この距離センサ３は、列車Ｔの停止目標としてホーム（プラットホーム）に予め設けられた停止目標位置ＰOを基準として、この停止目標位置ＰOよりも列車Ｔ進行方向のさらに前方に配備されている。
距離センサ３には計測レンジ（測定光２の射程）が少なくとも数十ｍ程度のもの（例えば２０ｍ程度）が用いられ、停止目標位置ＰOよりも列車Ｔの進行方向の前方に向かって数ｍ程度（図例では１０ｍ）離れた位置に距離センサ３が設置される。距離センサ３の具体的な設置場所としては、ホーム上に設置してもよく、プラットホーム下の空いている空間に設置してもよい。列車Ｔの進行方向に対して前方で且つ左右方向斜めから照射可能な位置に距離センサ３を設置する。なお、詳しくは後述するが、列車Ｔの前面に設けられた連結器５を狙って測定光２が照射されるように、距離センサ３を配備することが好ましい。
【００２１】
距離センサ３は、列車Ｔの前面に向けて、列車Ｔ前面の左右方向に沿った直線上を往復しつつ走査するように（１次元のラインスキャン状となるように）測定光２を照射している。
距離センサ３は、照射した測定光２の反射光を受光することにより、距離センサ３から列車Ｔの前面までの距離を測定する。この測定光２は距離センサ３から一定の周期（数１０キロヘルツ程度）で照射され、照射のたびに距離の計測が行われる。
【００２２】
距離センサ３から照射される測定光２には、拡散が少なく直進性に優れるレーザ光（出力数１０ｍＷ程度）が用いられる。このようなレーザ光の中でも、測定光２には、運転士の目に入った場合を考えて可視光領域（波長３６０ｎｍ〜８００ｎｍ）ではなく、近赤外領域（波長８００ｎｍ〜１μｍ程度）のレーザ光を用いることが望ましい。このような近赤外領域のレーザは、人の目で光として視認ができない不可視の光線であるため、レーザ光が運転士の運転操作や目視確認を妨げることはない。また、前述のように、特定の角度を連続照射するのではなく、短時間の照射を一定周期で繰り返しながら広い角度をスキャンするため、人の目に入るとしてもごく短時間であり、目に損傷を与えることが無い。
【００２３】
この測定光２は、上述した距離センサ３から列車Ｔの前面に向けて照射されるものであるが、列車Ｔの前面の中でも特に連結器５を狙って照射されるのがよい。
というのも、連結器５は異なる種類の列車Ｔ間でも連結の互換性を保つためほぼ同じ形状、且つ同じ高さ（レール面から約１０００ｍｍ）に形成されており、またその設置位置も列車Ｔ間で同じ設計となっている。それゆえ、測定光２を連結器５を狙って照射すれば、異なる種類の列車Ｔ間であっても測定条件を統一化することができる。
【００２４】
なお、図１、図２（ｂ）に示す如く、測定光２の左右方向の走査幅、言い換えればスキャン角度は大きい方がよく、スキャン角度が９０°程度有れば、距離センサの真横まで検出エリアとすることができる故、９０°乃至はこれ以上のスキャン角度を持つことが好ましい。このようなスキャン角度とすることで、列車Ｔがオーバーラン状態となったとしても、列車Ｔの前面の右端から左端に亘り測定光２を照射でき、確実に「距離センサ３〜列車Ｔの前面の距離」を計測することができる。
【００２５】
それゆえ、測定光２を連結器５を狙って左右水平にスキャンするように照射すれば、同じ路線を走行するどの列車Ｔに対しても、車種や編成によらずほぼ同じ条件で距離センサから列車Ｔまでの距離を測定することができ、相互乗り入れなどを行っている路線の駅においても問題なく採用できる。すなわち、距離センサ３が停止目標位置ＰOとほぼ同じ位置にあっても測定光２を連結器５に照射することができ、距離センサ３の設置位置を停止目標位置ＰOに近づけることが可能となる。その結果、ホームの長さに余裕がない駅であっても距離センサ３を余裕を持って設置することが可能となる。
【００２６】
一方、距離センサ３に接続された検出部４は、距離センサ３で連続して測定された距離の変化量が所定の閾値以下になった場合に列車Ｔが停止したと判断する。加えて、列車Ｔが停止したと判断された場合に測定された距離を基に、列車Ｔの停止位置を推定する。この検出部４は、具体的にはパソコンやシーケンサなどで構成されている。
次に、検出部４で行われる信号処理、具体的には本発明の列車停止位置Ｐの検出方法につて説明する。この信号処理は、パソコンやシーケンサ内のプログラムを実行するという形で実現されている。
【００２７】
まず、ホームに列車Ｔが進入してきて徐々に速度を落とし、停止目標位置ＰOに近づいてきた場合を考える。その際、停止目標位置ＰOよりも列車Ｔの進行方向に１０ｍ前方の位置に設けられた距離センサ３から測定光２が発射されていて、列車Ｔの前面に照射されるようになる。
距離センサ３からの測定光２が、測定角度範囲の左右一方端から他方端へスキャンするのに、通常は10ミリ秒から20ミリ秒程度かかる。すなわち距離センサ３からライン上の測定光２が10ミリ秒から20ミリ秒の間隔で照射されることとなる。
【００２８】
図３（ｂ）には、ｔ１〜ｔ６まで測定光２が６回照射され、その結果得られた距離データ（距離センサ３〜列車Ｔの前面までの距離）の曲線が示されている。
このとき、１回の測定光２の照射につき、距離センサ３では、列車Ｔの前面までの距離Ｌと測定光２の照射角度θとが計測される。このようにして得られた測定結果は、角度と距離とで示される極座標でのデータであり、このままでは、列車Ｔが停止目標位置ＰOに停止したか否かがわかりづらい。そこで、本発明の検出方法では、距離センサ３で測定された測定結果（極座標データ）を直交座標データに変換する。
【００２９】
具体的には、図３（ａ）に示す如く、距離センサ３で測定された距離Ｌとそのときの照射角度θで示された位置情報を（Ｘ、Ｙ）＝（Ｌcosθ、Ｌsinθ）によりデータ変換する。なお、このＸ−Ｙ座標は、図３（ａ）に示すように扇状に走査される測定光２に対して、その走査幅（走査角）の二等分線をＹ軸とするものであって、Ｘ軸とＹ軸との双方を水平面上に有するものである。
【００３０】
このようにして得られた距離データの曲線は、図３（ｂ）のように、Ｘ−Ｙ座標系に計測時間（ｔ１〜ｔ６）と共にプロットされる。
このＸ−Ｙ座標にプロットされた距離データを基に、列車Ｔの停止、及び停止位置の検出が行われる。
列車Ｔの停止判断に関しては、図３（ｂ）に示すように、ある時間に測定された距離データをＸ−Ｙ座標上にプロットし、次の時間にプロットされた距離データ曲線との位置が殆ど変わらない（一定の閾値以下になった）場合に「列車Ｔが停止した」と判断する。具体的には、各時間での距離データ曲線で、最もＹ座標値が大きいものを選び出す。これは、列車Ｔの左端部に対応する。この位置の移動量が最も少なくなった（ある閾値以下になった）場合に、列車Ｔが停止したとする。図３（ｂ）においては、時間ｔ５〜時間ｔ６にかけて列車Ｔが停止したと判断できる。
【００３１】
なお、ノイズなどのような想定外の理由によって上述した差分が一時的に閾値以下となる状況での誤判定を回避すべく、差分が閾値以下になる状態が複数の測定回数に亘って連続して起こった場合に初めて列車Ｔが停止したと判断しても良い。
一方、図３（ｂ）において示される距離データ曲線は、列車Ｔの前面の形状に相似の形となり、例えば、時間ｔ１の曲線に記されたａの部分は列車Ｔの右端側を示し、ｂの部分は列車Ｔの左端側を示している。ｃで示される部分は列車Ｔの連結器５の部分を示している。
【００３２】
そこで、列車Ｔが停止したと考えられる時間ｔ６の曲線において、最もＹの値が小さい部分（ｃ’）を抽出する。このｃ’のＹ座標値を実空間座標系、例えば線路に沿った方向に座標軸を張り、あらかじめ設定された基準停止位置を原点とする座標系の座標値に変換する。この実空間座標系上のｃ’の座標値ｙを「列車停止位置Ｐ」として認識する。そのときの座標値ｙが基準停止位置に対する許容範囲（＝定位置範囲、例えば基準停止位置±700mmと設定しておく）に入っているか否かで、正しい停止が行われたか否かを判定できる。
【００３３】
上述の列車停止位置Ｐの検出方法では、列車Ｔが実際に停止する位置より相当手前から列車Ｔの前面（先頭）の位置を追跡しているので、列車Ｔが定位置範囲より手前で停止した場合やオーバーランした場合などにも十分に対応できる。
また、スポット状とされた測定光２を走査せずに照射する距離センサ３の場合、測定光２を常に列車Ｔの同じ位置に照射しなければ、正確な距離を測定できない。つまり、列車Ｔが移動しても列車Ｔと距離センサ３との相対的な位置関係が変化しないような取り付け位置、言い換えれば列車Ｔの前面に対面する場所に距離センサ３を設置しなければならない。当然、そのような場所に対するセンサの設置は駅の建築限界の制約などから不可能である。しかし、本発明のように測定光２をライン状に走査させる方式であれば、設置スペースの制約を受けることがない。
【００３４】
さらに、上述の列車停止位置Ｐの検出方法では、カメラやレンズのキャリブレーションは必要なく、列車Ｔがいかなる減速パターンを取っても常に正しい停止状態と停止位置を高精度に測定できる。
ところで、今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３５】
１  検出装置
２  測定光
３  距離センサ
４  検出部
５  連結器
θ  照射角度
Ｐ  列車停止位置
ＰO  停止目標位置
Ｔ  列車
【図１】
0005963400.tif 000002
【図２】
0005963400.tif 000003
【図３】
0005963400.tif 000004